(57)【特許請求の範囲】
【請求項１】
可搬型Ｘ線検出器を識別する識別情報と、当該可搬型Ｘ線検出器の接続プロトコルとが関連づけられて記憶された記憶部と、
接続対象である可搬型Ｘ線検出器から、当該接続対象である可搬型Ｘ線検出器を識別する識別情報を取得する取得部と、
取得された前記識別情報に関連づけられた接続プロトコルを前記記憶部から読み出す接続方式決定部と、
読み出された接続プロトコルにより、前記接続対象である可搬型Ｘ線検出器との接続処理を実行する接続処理部と、
を具備するＸ線撮影システム。
【請求項２】
前記記憶部は、前記識別情報と前記可搬型Ｘ線検出器それぞれの接続方式とを関連付けたテーブルを記憶し、
前記接続方式決定部は、前記識別情報と前記テーブルとを照合することで、前記可搬型Ｘ線検出器を特定する請求項１記載のＸ線撮影システム。
【請求項３】
前記識別情報は、前記可搬型Ｘ線検出器それぞれのメーカ名と、型式と、シリアル番号とのうち少なくとも１つを有する請求項１又は２記載のＸ線撮影システム。
【請求項４】
前記取得部は、前記接続対象である可搬型Ｘ線検出器の管理情報を取得する請求項１乃至３のうちいずれか一項記載のＸ線撮影システム。
【請求項５】
前記取得部は、前記管理情報として、前記可搬型Ｘ線検出器のゲインキャリブレーション年月日情報と、ゲインキャリブレーションを実施した装置の識別子と、ゲインキャリブレーションデータと、前記可搬型Ｘ線検出器の使用環境に関する情報と、前記可搬型Ｘ線検出器のサイズ情報と、前記可搬型Ｘ線検出器の使用開始時期とのうち少なくとも１つを取得する請求項４記載のＸ線撮影システム。
【請求項６】
前記識別情報は、一次元以上の光学式マークを付したシールと、接触型ＩＣと、非接触型ＩＣとのうち少なくとも１つにより保持される請求項１乃至５のいずれか一項記載のＸ線撮影システム。
【請求項７】
前記接続プロトコルに対応する接続処理が実行不可である場合、前記接続処理が実行不可であることを示すエラーメッセージを少なくとも通知する請求項１記載のＸ線撮影システム。
【請求項８】
前記接続方式決定部は、前記識別情報と前記テーブルとを照合した結果、前記読み取られた識別情報が前記テーブルに含まれない場合、前記識別情報に基づいて前記記憶部に記憶された前記テーブルを更新する更新処理部をさらに具備する請求項２記載のＸ線撮影システム。
【発明の詳細な説明】
【技術分野】
【０００１】
本発明の実施形態は、Ｘ線撮影システムに関する。
【背景技術】
【０００２】
現在、様々なメーカにより可搬型Ｘ線検出器が製造されている。また、これら複数のメーカの可搬型Ｘ線検出器等を用途によって使い分けて、Ｘ線撮影を実行するＸ線撮影システムがある。
【０００３】
従来のＸ線撮影システムは、撮影に使用する可搬型Ｘ線検出器を自動的に識別することができない。このため、Ｘ線撮影システムの装置本体と可搬型Ｘ線検出器との通信接続を確立する際には、撮影に使用する可搬型Ｘ線検出器を特定するための情報を操作者が入力する必要がある。また、一般的に、可搬型Ｘ線検出器は、メーカごとにＸ線撮影システムとの接続に使用されるドライバや接続プロトコルが異なる。このため、操作者が複数のメーカそれぞれの接続手順を覚える必要がある。
【先行技術文献】
【特許文献】
【０００４】
【特許文献１】特開２００９−２９７１８７号公報
【発明の概要】
【発明が解決しようとする課題】
【０００５】
上記に示すように、従来のＸ線撮影システムでは、Ｘ線撮影システムの装置本体と可搬型Ｘ線検出器との通信接続を確立する際の操作が煩雑であるという問題がある。
【０００６】
実施形態の目的は、所望の可搬型Ｘ線検出器とＸ線撮影システムの装置本体との通信接続を確立する場合の作業負担を軽減することができるＸ線撮影システムを提供することにある。
【課題を解決するための手段】
【０００７】
実施形態に係るＸ線撮影システムは、読取装置と、接続方式決定部と備える。読取装置は、接続方式の異なる可搬型Ｘ線検出器それぞれに備えられる識別部から、可搬型Ｘ線検出器それぞれを識別する識別情報を読み取る。接続方式決定部は、読み取られた識別情報に基づいて、読み取られた識別情報に対応する識別部を備える可搬型Ｘ線検出器を特定し、特定された可搬型Ｘ線検出器の接続方式を決定する。
【図面の簡単な説明】
【０００８】
【図１】図１は、第１実施形態に係るＸ線撮影システムの一例を示す外観図である。
【図２】図２は、第１実施形態に係るＸ線撮影システムを示すブロック図である。
【図３】図３は、図２に示す読取装置により読み取られたメーカ名、型式、シリアル番号の一例を示す図である。
【図４】図４は、図２に示す記憶回路に記憶される、識別情報と接続データＩＤ及び接続プロトコルＩＤとを関連付けたテーブルを示す図である。
【図５】図５は、第１実施形態に係るＸ線撮影システムにおける可搬型Ｘ線検出器９と装置本体との接続を確立する流れを示すシーケンス図である。
【図６】図６は、変形例２に係る記憶回路に記憶される、識別情報と接続プロトコルＩＤとを関連付けたテーブルを示す図である。
【図７】図７は、変形例２に係るＸ線撮影システムにおける可搬型Ｘ線検出器９と装置本体との接続を確立する流れを示すシーケンス図である。
【図８】図８は、第２実施形態に係るＸ線撮影システムを示すブロック図である。
【図９】図９は、読取装置により読み取られた可搬型Ｘ線検出器のメーカ名、型式、シリアル番号、および接続データＩＤを示す図である。
【図１０】図１０は、更新処理部により更新されたテーブルを示す図である。
【図１１】図１１は、他の実施形態に係るＸ線撮影システムを示すブロック図である。
【発明を実施するための形態】
【０００９】
以下、実施形態に係るＸ線撮影システムについて、図面を参照して説明する。
【００１０】
（第１実施形態）
図１は、第１実施形態に係るＸ線撮影システム１の一例を示す外観図である。図２は、第１実施形態に係るＸ線撮影システム１を示すブロック図である。
【００１１】
図１、図２に示すように、Ｘ線撮影システム１は、Ｘ線管装置１００、高電圧発生器７と、寝台２００、立位撮影台３００、可搬型Ｘ線検出器９と、読取装置１１と、記憶回路１３と、処理回路１５と、通信インターフェイス回路１８と、画像処理回路２１と、ディスプレイ２３と、入力インターフェイス回路２５と、システム制御回路２７とを備える。なお、読取装置１１と、記憶回路１３と、処理回路１５と、通信インターフェイス回路１８と、画像処理回路２１と、ディスプレイ２３と、入力インターフェイス回路２５と、システム制御回路２７は、装置本体２として一つの筐体内に設けられているものとする。
【００１２】
Ｘ線管装置１００は、Ｘ線管３と、Ｘ線絞り器５とを備える。Ｘ線管３は、高電圧発生器７から供給された管電流と、高電圧発生器７により印加された管電圧とに基づいて、Ｘ線を発生する。Ｘ線絞り器５は、ＳＩＤ（Source Image receptor Distance）に対して直行する２軸のうち一つの軸に沿って移動可能な複数の絞り羽根と、他方の軸に沿って移動可能な複数の絞り羽根とを有する。これら複数の絞り羽根各々は、Ｘ線焦点で発生されたＸ線を遮蔽する鉛により構成される。Ｘ線絞り器５は、入力インターフェイス回路２５により入力された照射範囲の限定指示に従って、各絞り羽根を移動させることにより、Ｘ線管３によって発生されたＸ線の照射範囲を限定する。さらに、Ｘ線絞り器５は、被検体Ｐへの被曝線量の低減および画質の向上を目的として、Ｘ線の照射範囲に挿入される複数の線質調整フィルタを有してもよい。
【００１３】
高電圧発生器７は、システム制御回路２７による制御のもとで、Ｘ線撮影条件に従って、管電流をＸ線管３に供給し、管電圧をＸ線管３に印加する。また、高電圧発生器７は、寝台２００に備えられるＸ線自動露出制御装置（以降、ＡＥＣ（Automatic Exposure Control）と呼称する。）２０７、または立位撮影台３００に備えられるＡＥＣ３０７において所定のＸ線線量が検出された場合、Ｘ線管３への管電流供給および管電圧印加を停止する。
【００１４】
寝台２００は、被検体Ｐを載置する天板２０１と、可搬型Ｘ線検出器９を寝台２００に設置するためのブッキー装置２０３とを備える。ブッキー装置２０３は、Ｘ線グリッド２０５およびＡＥＣ２０７からなり、天板２０１の下部に設けられる。Ｘ線グリッド２０５は、Ｘ線撮影における被検体Ｐからの散乱Ｘ線を除去し、かつ被検体Ｐで散乱していないＸ線を透過させるための器具である。ＡＥＣ２０７は、所定のＸ線線量が検出された場合、所定のＸ線線量が検出されたことを通知する検出信号を高電圧発生器７に送信する。
【００１５】
立位撮影台３００は、ブッキー装置３０３と、ブッキー装置３０３を所定の位置で固定支持する支柱３０１とを備える。ブッキー装置３０３の構成は、寝台２００が備えるブッキー装置２０３と同様である。
【００１６】
可搬型Ｘ線検出器９は、複数の半導体検出素子を有する平面検出器（ＦＰＤ：Flat Panel Detector）であり、ブッキー装置２０３により、寝台２００に対し着脱可能に設けられる。また、可搬型Ｘ線検出器９は、ブッキー装置３０３により、立位撮影台３００に対し着脱可能に設けられる。一般に、検査項目に応じて、形状やマトリックスサイズ（画素の配列数）の異なる可搬型Ｘ線検出器９が使用される。操作者は、複数の可搬型Ｘ線検出器９の中から、撮影部位や被検体の体格等に応じて適切な可搬型Ｘ線検出器９を選択し、寝台２００或いは立位撮影台３００に設置する。なお、可搬型Ｘ線検出器９は、ＦＰＤに限らず、イメージングプレート（ＩＰ：Imaging Plate）であってもよい。
【００１７】
また、各可搬型Ｘ線検出器９は、識別部９１と通信回路９３とを有する。識別部９１は、複数の可搬型Ｘ線検出器９それぞれを識別するための識別情報を保持するものであり、一次元以上の光学式マーク（バーコードおよびＱＲコード（登録商標）等）を付したシール、接触型ＩＣ（Integrated Circuit）、非接触型ＩＣ等である。例えば、非接触型ＩＣとして、ＮＦＣ（Near Field Communication）（登録商標）、ＩＳＯ／ＩＥＣ  １４４４３  Ｔｙｐｅ  Ａ（ＭＩＦＡＲＥ  ＩＣ（登録商標）等）、ＩＳＯ／ＩＥＣ  １４４４３  Ｔｙｐｅ  Ｂ、Ｆｅｌｉｃａ（登録商標）、ＩＳＯ／ＩＥＣ  １５７６９３が挙げられる。ここで、識別情報とは、対応する可搬型Ｘ線検出器９を識別するための情報であり、複数の可搬型Ｘ線検出器９それぞれのメーカ名、型式、シリアル番号等を所定の方式で符号化した情報である。本実施形態においては、説明を具体的にするため、識別部９１が一次元以上の光学式マークを付したシールである場合の例とする。
【００１８】
通信回路９３は、可搬型Ｘ線検出器９と装置本体２とを有線または無線で接続するための回路である。通信回路９３は、有線または無線接続により装置本体２に備えられる通信インターフェイス回路１８とデータを通信する。具体的には、通信回路９３は、医療現場で利用されている所定の無線規格に従って、アクセスポイント１９を介して通信インターフェイス回路１８とデータを通信する。また、通信回路９３と通信インターフェイス回路１８とを直接接続する、あるいはアクセスポイント１９を経由して通信回路９３と通信インターフェイス回路１８とを有線接続することで、通信回路９３と通信インターフェイス回路１８との間でデータを通信する。
【００１９】
読取装置１１は、シールに付された識別部９１に保持された識別情報を読み取る装置である。本実施形態では、識別部９１は光学式マークが付されたシールであるため、読取装置１１としてバーコードリーダが採用される。読取装置１１は、識別部９１から読み取った識別情報（メーカ名、型式、およびシリアル番号）を処理回路１５へ出力する。
【００２０】
記憶回路１３は、画像処理回路２１で発生されたＸ線画像、Ｘ線撮影システム１の制御プログラム、診断プロトコル、入力インターフェイス回路２５から送られる操作者の指示、Ｘ線撮影に関するＸ線撮影条件等の各種データ群、Ｘ線線量等を記憶する。
【００２１】
また、記憶回路１３は、複数の可搬型Ｘ線検出器９それぞれと装置本体２との間の通信に用いられる接続データ（例えば、デバイスドライバ（Device Driver））及び接続プロトコルを、可搬型Ｘ線検出器９毎に記憶する。各接続データ及び各接続プロトコルにはそれぞれＩＤが付されており、当該ＩＤによって個々の接続データ及び接続プロトコルを特定することができる。
【００２２】
さらに、記憶回路１３は、後述する自動通信接続機能に用いられるテーブルを記憶する。このテーブルは、図４に示すように、各可搬型Ｘ線検出器９のメーカ名、型式、シリアル番号と、当該可搬型Ｘ線検出器９と装置本体２との間の通信に用いられる接続データを特定するためのＩＤ（接続データＩＤ）及び接続プロトコルを決定するためのＩＤ（接続プロトコルＩＤ）とを対応付けた表である。
【００２３】
処理回路１５は、ハードウェア資源として、ＣＰＵ（Central Processing Unit）やＭＰＵ（Micro Processing Unit）等のプロセッサと、ＲＯＭやＲＡＭ等のメモリとを有する。当該処理回路１５のメモリは、自動通信接続機能を実現するためのプログラム（自動通信接続プログラム）を記憶する。また、当該処理回路１５のプロセッサは、自動通信接続プログラムを読み出して実行することで、自動通信接続機能を実現する。
【００２４】
具体的には、処理回路１５は、自動通信接続プログラムの実行により、接続方式決定部１５１、接続処理部１５２としての機能を実現する。接続方式決定部１５１は、読み取られた識別情報（メーカ名、型式およびシリアル番号）と図４に示したテーブルとを照合することにより、当該識別情報に対応する可搬型Ｘ線検出器９が、図４に示したテーブルにリストアップされた可搬型Ｘ線検出器のいずれに該当するかを特定する。また、接続方式決定部１５１は、特定された可搬型Ｘ線検出器と図４のテーブルとに基づいて、識別情報が読み取られた可搬型Ｘ線検出器に対応する接続データＩＤ及び接続プロトコルＩＤ（接続方式）を決定する。さらに、接続方式決定部１５１は、決定された接続データＩＤが割り当てられた接続データ、及び接続プロトコルＩＤが割り当てられた接続プロトコルを、記憶回路１３から読み出す。接続処理部１５２は、読み出された接続データと接続プロトコルとを用いて、上記特定された可搬型Ｘ線検出器９と装置本体２との間の無線接続を確立する。
【００２５】
通信インターフェイス回路１８は、可搬型Ｘ線検出器９と装置本体２とを有線または無線で接続するための回路である。通信インターフェイス回路１８は、有線または無線接続により可搬型Ｘ線検出器９に備えられる通信回路９３とデータを通信する。具体的には、通信インターフェイス回路１８は、医療現場で利用されている所定の無線規格に従って、アクセスポイント１９を介して通信回路９３とデータを通信する。また、通信回路９３と通信インターフェイス回路１８とを直接接続する、あるいはアクセスポイント１９を経由して通信回路９３と通信インターフェイス回路１８とを有線接続することで、通信回路９３と通信インターフェイス回路１８との間でデータを通信する。
【００２６】
アクセスポイント１９は、当該通信回路９３と通信インターフェイス回路１８とを有線または無線で通信可能な状態にするためのルータである。
【００２７】
画像処理回路２１は、前処理部２１１、画像発生部２１２を有する。前処理部２１１は、可搬型Ｘ線検出器９から出力されたディジタルデータに対して、前処理を実行する。ここで、前処理とは、可搬型Ｘ線検出器９におけるチャンネル間の感度不均一の補正、および金属等のＸ線強吸収体による極端な信号の低下またはデータの脱落に関する補正等である。画像発生部２１２は、前処理されたディジタルデータに基づいて、Ｘ線画像を発生する。画像発生部２１２は、発生したＸ線画像をディスプレイ２３および記憶回路１３に出力する。
【００２８】
なお、画像処理回路２１は、処理装置（プロセッサ）とＲＯＭやＲＡＭ等の記憶装置（メモリ）とによって構成される。また、前処理部２１１、画像発生部２１２は、当該画像処理回路２１において、プロセッサが記憶装置に保存されたプログラムを読み出し起動することで実現される。しかしながら、当該構成に拘泥されず、例えば、前処理部２１１として機能する専用のハードウェア回路と画像発生部２１２として機能する専用のハードウェア回路とが画像処理回路２１に実装されてもよい。
【００２９】
ディスプレイ２３は、画像処理回路２１により発生されたＸ線画像等を表示する。ディスプレイ２３は、撮影位置、Ｘ線照射条件等の入力に関する入力画面等を表示する。
【００３０】
入力インターフェイス回路２５は、トラックボール、スイッチボタン、マウス、キーボード、操作面へ触れることで入力操作を行うタッチパッド、および表示画面とタッチパッドとが一体化されたタッチパネルディスプレイ等によって実現される。入力インターフェイス回路２５は、システム制御回路２７に接続されており、操作者から受け取った入力操作を電気信号へ変換しシステム制御回路２７へと出力する。なお、第１実施形態において入力インターフェイス回路２５は、トラックボール、スイッチボタン、マウス、キーボード等の物理的な操作部品を備えるものだけに限られない。例えば、装置とは別体に設けられた外部の入力機器から入力操作に対応する電気信号を受け取り、この電気信号をシステム制御回路２７へ出力する電気信号の処理回路も入力インターフェイス回路２５の例に含まれる。
【００３１】
システム制御回路２７は、処理装置（プロセッサ）とＲＯＭやＲＡＭ等の記憶装置（メモリ）とによって構成され、本Ｘ線撮影システム１の動作を統括的に制御する。例えば、システム制御回路２７は、入力インターフェイス回路２５から送られる操作者の指示、Ｘ線撮影位置、Ｘ線管３によるＸ線撮影方向、Ｘ線照射範囲、Ｘ線照射条件等の情報に従って、Ｘ線撮影を実行するために、高電圧発生器７およびＸ線絞り器５を制御する。また、システム制御回路２７は、自動通信接続機能に従う処理において、処理回路１５等を制御する。
【００３２】
（自動通信接続機能）
次に、本Ｘ線診断システム１が具備する自動通信接続機能について説明する。
【００３３】
一般に、可搬型Ｘ線検出器９と装置本体２との無線通信に確立に用いられる接続データ、接続プロトコルは、可搬型Ｘ線検出器９毎に異なる。従来においては、操作者は、新たな可搬型Ｘ線検出器９を用いた撮影を実行する前に固有の接続データ及び接続プロトコルを特定・取得し、無線接続を確立しなければならない。
【００３４】
そこで、本自動通信接続機能は、Ｘ線画像の撮影に用いる可搬型Ｘ線検出器９に付された識別部９１から当該可搬型Ｘ線検出器９の識別情報を取得し、取得した識別情報に基づいて、使用する可搬型Ｘ線検出器９に対応する接続データ及び接続プロトコルを自動的に特定・取得し、無線接続を確立するものである。
【００３５】
図５は、可搬型Ｘ線検出器９と装置本体２との無線接続の確立を説明するためのシーケンス図である。図５に示すように、装置本体の読取装置１１は、識別部９１（シール）に付された光学式マークを読み取ることで、当該識別部９１が貼付された可搬型Ｘ線検出器９の識別情報（例えば、メーカ名「Ａ」、型式「Ａ−１」、およびシリアル番号「Ａ１００１」）を取得する（ＳＱ０１）。接続方式決定部１５１は、取得された識別情報と記憶回路１３に記憶されたテーブルとを照合し、接続データのＩＤ及び接続プロトコルのＩＤを特定する（ＳＱ０２、ＳＱ０３）。今の場合、ＳＱ０１において識別情報として“メーカ名「Ａ」”、“型式「Ａ−１」”、“シリアル番号「Ａ１００１」”が取得されたのであるから、図４に示したテーブルにおいて定義された対応付けにより、“接続データＩＤ「Ａ１００１ＤＡＴＡ」”、“接続プロトコルＩＤ「Ａ−１」”が特定される。接続方式決定部１５１は、特定した接続データＩＤに対応するデバイスドライバ（接続データ）、及び特定した接続プロトコルＩＤに対応する接続プロトコルを、記憶回路１３から読み出す（ＳＱ０４）。
【００３６】
処理回路１５のプロセッサにより、読み出されたデバイスドライバが起動され、接続処理部１５２が実現される。接続処理部１５２は、読み出された接続プロトコルに従って、アクセスポイント１９を介した可搬型Ｘ線検出器９との無線通信接続を確立する（ＳＱ０５）。以降、通常のＸ線撮影が実施される。
【００３７】
以上述べた第１の実施形態に係るＸ線撮影システムによれば、撮影に用いる可搬型Ｘ線検出器に貼付された識別部が保持する識別情報を読み取るという統一的な作業だけで、当該可搬型Ｘ線検出器とＸ線撮影システムの装置本体との無線接続を、自動的且つ迅速に確立することができる。従って、従来の様に可搬型Ｘ線検出器とＸ線撮影システムの装置本体との無線接続をマニュアル操作によって個別に確立させる必要はない。その結果、従来に比して、可搬型Ｘ線検出器を用いたＸ線撮影において、操作者の作業負担を大幅に軽減することができ、作業効率を向上させることができる。
【００３８】
ここで、上記実施形態において、アクセスポイント１９を介した、可搬型Ｘ線検出器９と装置本体２との間の無線接続を確立しているが、所定の時間が経過しても当該無線接続が確立されない場合がある。この場合、可搬型Ｘ線検出器９と装置本体２との間の無線接続が確立されなかったことを示すエラーメッセージを操作者に通知する。また、再度、可搬型Ｘ線検出器９と装置本体２との間の無線接続を試みるよう操作者に指示する再試行メッセージを通知する。なお、再試行メッセージとして、例えば、再度、読取装置１１により識別部９１に付された光学式マークを読み取るよう指示するメッセージを通知しても、すでに読み出された接続データと接続プロトコルとを用いて、再度、無線接続を確立するかを問うメッセージを通知してもよい。
【００３９】
操作者は、上記再試行メッセージの通知を受けて、再度、無線接続を試みる。その後、さらに所定の時間が経過しても当該無線接続を確立できない場合、機器に不具合がある、または特定された可搬型Ｘ線検出器９に対応する接続データと接続プロトコルとが上記テーブルとして記憶されていない等の可能性がある。この場合、可搬型Ｘ線検出器９と装置本体２との間の接続を有線で確立するよう操作者に指示する有線接続指示メッセージを通知してもよい。
【００４０】
なお、上記エラーメッセージ、再試行メッセージ、有線接続指示メッセージは、例えば、ディスプレイ２３に表示してもよいし、音声等を用いて通知してもよい。
【００４１】
（変形例１）
上記説明においては、識別部９１が一次元以上の光学式マークを付したシールである場合を例とした。しかしながら、第１実施形態は、これに限定されない。例えば、識別部９１が接触型ＩＣまたは非接触型ＩＣであってもよい。
【００４２】
識別部９１が接触型ＩＣである場合、接触型ＩＣは、内蔵されるメモリに複数の可搬型Ｘ線検出器９それぞれのメーカ名、型式、シリアル番号を予め記憶しておく。読取装置１１には、接点端子が設けられる。読取装置１１は、接触型ＩＣに設けられる接点端子に、自身に設けられる接点端子を接触させる。これにより、読取装置１１は、接触型ＩＣから複数の可搬型Ｘ線検出器９それぞれのメーカ名、型式、シリアル番号を読み取る。
【００４３】
識別部９１が非接触型ＩＣである場合、接触型ＩＣと同様に、非接触型ＩＣは、内蔵されるメモリに複数の可搬型Ｘ線検出器９それぞれのメーカ名、型式、シリアル番号を予め記憶しておく。また、非接触型ＩＣにはアンテナコイルが内蔵される。読取装置１１には、磁界を発生する回路が設けられる。また、読取装置１１には、非接触型ＩＣとのデータのやり取りを行う回路が設けられる。非接触型ＩＣが、読取装置１１により発生された磁界を通過することで、内蔵するアンテナコイルが磁気を受けて電流を発生する。非接触型ＩＣは、発生した電流を利用して内蔵されるＣＰＵやメモリを起動させて、読取装置１１とのデータのやり取りを行う。これにより、読取装置１１は、非接触型ＩＣから複数の可搬型Ｘ線検出器９それぞれのメーカ名、型式、シリアル番号を読み取る。
【００４４】
本変形例に係るＸ線撮影システムによっても、識別部９１が一次元以上の光学式マークを付したシールである場合と同様の効果を実現することができる。
【００４５】
（変形例２）
第１実施形態では、複数の可搬型Ｘ線検出器９それぞれと装置本体２とを通信可能にするための複数の接続データを記憶回路１３に予め記憶していた。本変形例では、識別部９１が可搬型Ｘ線検出器９と装置本体２とを無線接続するための接続データを上記識別情報と共に保持する場合について説明する。なお、本変形例に係るＸ線撮影システム１の構成要素は、図２と実質的に同一である。以下においては、機能の異なる構成要素について説明する。
【００４６】
識別部９１は、識別情報と、接続データとを保持する。識別部９１は、好適には、接触型ＩＣまたは非接触型ＩＣである。なお、識別部９１は、光学式マークであってもよい。
【００４７】
以下、識別部９１が非接触型ＩＣである場合について記載する。
【００４８】
読取装置１１は、非接触型ＩＣから複数の可搬型Ｘ線検出器９それぞれのメーカ名、型式、シリアル番号、接続データを読み取る。読取装置１１は、読み取ったメーカ名、型式、シリアル番号、接続データを処理回路１５へ出力する。
【００４９】
記憶回路１３は、接続プロトコルを、可搬型Ｘ線検出器９毎に記憶する。接続プロトコルにはそれぞれＩＤが付されており、当該ＩＤによって個々の接続プロトコルを特定することができる。記憶回路１３は、自動通信接続機能に用いられるテーブルを記憶する。
【００５０】
接続方式決定部１５１は、特定された可搬型Ｘ線検出器と図６に示すテーブルとに基づいて、識別情報が読み取られた可搬型Ｘ線検出器に対応する接続プロトコルＩＤ（接続方式）を決定する。接続方式決定部１５１は、決定された接続プロトコルＩＤが割り当てられた接続プロトコルを、記憶回路１３から読み出す。接続処理部１５２は、識別部９１から読み出された接続データ及び記憶回路１３から読み出された接続プロトコルを用いて、上記特定された可搬型Ｘ線検出器９と装置本体２との間の無線接続を確立する。
【００５１】
次に、本変形例に係る自動通信接続機能について説明する。
【００５２】
図７は、可搬型Ｘ線検出器９と装置本体２との無線接続の確立を説明するためのシーケンス図である。図７に示すように、装置本体２の読取装置１１は、非接触ＩＣから識別情報および接続データ（デバイスドライバ）を読み取る（ＳＱ１１）。接続方式決定部１５１は、取得された識別情報と記憶回路１３に記憶されたテーブルとを照合し、接続プロトコルのＩＤを特定する（ＳＱ１２、ＳＱ１３）。例えば、ＳＱ１１において識別情報として“メーカ名「Ｂ」“、”型式「Ｂ−１」“、”シリアル番号「Ｂ１００１」“が取得された場合、図６に示したテーブルにおいて定義された対応付けにより、接続プロトコルＩＤ「Ｂ−１」”が特定される。接続方式決定部１５１は、特定した接続プロトコルＩＤに対応する接続プロトコルを、記憶回路１３から読み出す（ＳＱ１４）。
【００５３】
処理回路１５のプロセッサにより、読取装置１１により識別部９１から読み出されたデバイスドライバが起動され、接続処理部１５２が実現される。接続処理部１５２は、記憶回路１３から読み出された接続プロトコルに従って、アクセスポイント１９を介した可搬型Ｘ線検出器９との無線通信接続を確立する（ＳＱ１５）。以降、通常のＸ線撮影が実施される。
【００５４】
本変形例に係るＸ線撮影システムによれば、撮影に用いる可搬型Ｘ線検出器に貼付された識別部が保持する識別情報を読み取るという統一的な作業だけで、当該可搬型Ｘ線検出器を識別するための識別情報と、可搬型Ｘ線検出器とＸ線撮影システムの装置本体との無線接続を確立するための接続データ（デバイスドライバ）を取得することができる。従って、無線接続を確立するためのデバイスドライバが装置本体２側に格納されていない場合であっても、当該可搬型Ｘ線検出器とＸ線撮影システムの装置本体との無線接続を、自動的且つ迅速に確立することができる。
【００５５】
（第２実施形態）
次に、第２の実施形態に係るＸ線撮影システム１について説明する。第１の実施形態との相違は、読取装置１１に読み取られた識別情報および接続データＩＤがテーブルに登録されていない場合、読取装置１１に読み取られた識別情報および接続データＩＤをテーブルに追加することにある。本実施形態の説明において、上記第１実施形態と略同一の機能および構成を有する構成要素については、同一符号を付し、重複説明は必要な場合にのみ行う。
【００５６】
図８は、本実施形態に係るＸ線撮影システム１を示すブロック図である。図８に示すように、処理回路１５は、更新処理部１５３を更に備える。
【００５７】
識別部９１は、識別情報と接続データと接続データＩＤとを保持する。識別部９１は、好適には、接触型ＩＣまたは非接触型ＩＣである。なお、識別部９１は、光学式マークであってもよい。
【００５８】
読取装置１１は、非接触型ＩＣから複数の可搬型Ｘ線検出器９それぞれのメーカ名、型式、シリアル番号、接続データＩＤおよび接続データを読み取る。例えば、図９に示す可搬型Ｘ線検出器９のメーカ名「Ｄ」、型式「Ｄ−１」、シリアル番号「Ｄ１００１」、接続データＩＤ「Ｄ１００１ＤＡＴＡ」、接続データＩＤに対応する接続データを読み取る。読取装置１１は、読み取った可搬型Ｘ線検出器９のメーカ名、型式、シリアル番号、接続データＩＤ、および接続データを処理回路１５へ出力する。
【００５９】
処理回路１５のメモリは、後述する更新処理機能を実現するためのプログラム（更新処理プログラム）を記憶する。また、当該処理回路１５のプロセッサは、更新処理プログラムを読み出して実行することで、更新処理部１５３としての機能を実現する。
【００６０】
接続方式決定部１５１は、読み取られた識別情報（メーカ名、型式およびシリアル番号）と図４に示したテーブルとを照合し、当該識別情報に対応する可搬型Ｘ線検出器９がテーブルにリストアップされているか否かを判定する。今の場合、図４に示すように、読み取られたメーカ名「Ｄ」、型式「Ｄ−１」、シリアル番号「Ｄ１００１」、接続データＩＤ「Ｄ１００１ＤＡＴＡ」は、テーブルに含まれない。従って、接続方式決定部１５１は、読み取られた識別情報に対応する可搬型Ｘ線検出器９がテーブルにリストアップされていないと判定し、その結果を更新処理部１５３に出力する。
【００６１】
更新処理部１５３は、読取装置１１により読み取られた識別情報とテーブルとの照合において、読み取られた識別情報および接続データＩＤが当該テーブルに含まれていない場合、読み取られた識別情報および接続データＩＤをテーブルに登録する。すなわち、更新処理部１５３は、読み取られた識別情報および接続データＩＤをテーブルに追加して、テーブルを更新する。このとき、読み取られた接続データ（デバイスドライバ）は、読み取られた接続データＩＤと対応づけられて、記憶回路１３に記憶される。
【００６２】
図１０は、更新処理部１５３により更新されたテーブルを示す図である。図１０に示すように、メーカ名「Ｄ」と、型式「Ｄ−１」と、シリアル番号「Ｄ１００１」と、接続データＩＤ「Ｄ１００１ＤＡＴＡ」とが、接続プロトコルＩＤ「Ｄ−１」とともにテーブルに登録される。このとき、接続プロトコルＩＤ「Ｄ−１」に対応する接続プロトコルは、例えば、図示していないネットワークまたは入力インターフェイス回路２５を介して、装置本体２に入力される。
【００６３】
なお、読取装置１１により読み取られた識別情報とテーブルとの照合において、読み取られた識別情報および接続データＩＤが当該テーブルに含まれていると判定した場合には、更新処理部１５３は、読取装置１１によって読み取られた接続データＩＤと、テーブルにおいて対応づけられた接続データＩＤとに基づいて、いずれのＩＤによって特定される接続データのバージョンが新しいかを判定する。この判定により、読み取られた接続データＩＤが最新版の接続データ、すなわち最新のデバイスドライバである場合、更新処理部１５３は、記憶回路１３に記憶された接続データを、読み取られた接続データに更新する。加えて、更新処理部１５３は、テーブルにおける接続データＩＤを、更新された接続データのＩＤに更新する。すなわち、更新処理部１５３は、接続データＩＤをテーブルに追加して、テーブルを更新する。
【００６４】
以上述べた第２の実施形態に係るＸ線撮影システム１によれば、事前に登録されていない新たに可搬型Ｘ線検出器９を導入する場合においても、撮影に用いる可搬型Ｘ線検出器に貼付された識別部が保持する識別情報、接続データＩＤおよび接続データを読み取るという統一的な作業だけで、当該可搬型Ｘ線検出器とＸ線撮影システムの装置本体との無線接続を、自動的且つ迅速に確立することができる。加えて、デバイスドライバを自動的に更新することができる。
【００６５】
（第３実施形態）  
次に、第３の実施形態に係るＸ線撮影システム１について説明する。第３実施形態では、識別部が識別情報に加えて可搬型Ｘ線検出器の管理情報をさらに保持し、これを読み込み利用することで、より好適なＸ線撮影或いは保守管理を実現するものである。
【００６６】
なお、本実施形態に係るＸ線撮影システム１の構成要素は、図２と実質的に同一である。以下においては、機能の異なる構成要素について説明する。
【００６７】
（管理情報例１）
管理情報がゲインキャリブレーションを実施した装置の識別子及び実施年月日である場合について説明する。
【００６８】
識別部９１は、撮影に用いる可搬型Ｘ線検出器９を識別するための識別情報と、ゲインキャリブレーションを実施した装置の識別子及び実施年月日とを保持する。読取装置１１は、識別部９１に保持された識別情報、ゲインキャリブレーションを実施した装置の識別子及び実施年月日を読み取る。システム制御回路２７は、ゲインキャリブレーションを実施した装置の識別子が自装置の識別子であるか否かを判定する。その結果、自装置の識別子ではないと判定した場合には、システム制御回路２７は、ネットワークを介して、ゲインキャリブレーションを実施した装置の識別子によって特定されるＸ線撮影システムにアクセスし、読み取られた識別情報に対応する可搬型Ｘ線検出器９のゲインキャリブレーションデータのうち、読み取られた実施年月日に該当するデータを新たに取得する。システム制御回路２７は、新たに取得したゲインキャリブレーションデータを、記憶回路１３に格納する。画像処理回路２１の前処理部２１１は、記憶回路１３に記憶された当該キャリブレーションデータを用いて、画素ごとの利得のばらつきによって生じる画素間の感度不均一性を除去する。
【００６９】
（管理情報例２）
管理情報が撮影に用いようとする可搬型Ｘ線検出器９の使用環境に関する情報（使用場所、管理者等）である場合について説明する。識別部９１は、撮影に用いる可搬型Ｘ線検出器９を識別するための識別情報と、使用環境に関する情報とを保持する。読取装置１１は、識別部９１に保持された識別情報、使用環境に関する情報を読み取る。システム制御回路２７は、読み取った使用環境に関する情報に基づいて、撮影に用いようとする可搬型Ｘ線検出器９が当該Ｘ線撮影システム１に適合するか否かを判定する。その結果、当該Ｘ線撮影システム１に適合しないと判定した場合には、システム制御回路２７は、その旨の注意メッセージを表示するように、ディスプレイ２３を制御する。
【００７０】
（管理情報例３）
管理情報が撮影に用いようとする可搬型Ｘ線検出器９のサイズ情報である場合について説明する。識別部９１は、撮影に用いる可搬型Ｘ線検出器９を識別するための識別情報と、サイズ情報とを保持する。読取装置１１は、識別部９１に保持された識別情報、サイズ情報を読み取る。システム制御回路２７は、読み取ったサイズ情報に基づいて、当該可搬型Ｘ線検出器９により撮影可能な部位を判定する。システム制御回路２７は、判定結果に従って、撮影可能な部位を示す情報を表示するように、ディスプレイ２３を制御する。
【００７１】
（管理情報例４）
管理情報が撮影に用いようとする可搬型Ｘ線検出器９（内蔵バッテリー型）の使用開始時期である場合について説明する。識別部９１は、撮影に用いる可搬型Ｘ線検出器９を識別するための識別情報と、可搬型Ｘ線検出器９の使用開始時期とを保持する。読取装置１１は、識別部９１に保持された識別情報、可搬型Ｘ線検出器９の使用開始時期を読み取る。システム制御回路２７は、読み取った可搬型Ｘ線検出器９の使用開始時期に基づいて、内蔵バッテリーの交換時期であるか否かを判定する。内蔵バッテリーの交換時期であると判定した場合には、システム制御回路２７は、内蔵バッテリーの交換を促すメッセージを表示するように、ディスプレイ２３を制御する。
【００７２】
（管理情報例５）
管理情報がゲインキャリブレーションデータそのものである場合について説明する。
【００７３】
識別部９１は、撮影に用いる可搬型Ｘ線検出器９を識別するための識別情報と、ゲインキャリブレーションデータとを保持する。読取装置１１は、識別部９１に保持された識別情報、ゲインキャリブレーションデータを読み取る。システム制御回路２７は、新たに読み取ったゲインキャリブレーションデータを、記憶回路１３に格納する。また、記憶回路１３に古いバージョンのゲインキャリブレーションデータが予め格納されている場合には、システム制御回路２７は、当該古いバージョンのゲインキャリブレーションデータを、
新たに読み取ったゲインキャリブレーションデータに更新する。
【００７４】
なお、上記各管理情報例は、適宜組み合わせて実施することも可能である。
【００７５】
以上述べた第３の実施形態に係るＸ線撮影システムによれば、撮影に用いる可搬型Ｘ線検出器に貼付された識別部が保持する管理情報を読み取るという統一的な作業だけで、より好適で効率的なＸ線撮影或いは保守管理を実現することができる。
【００７６】
以上述べた各実施形態の各プロセッサは、プロセッサごとに単一の回路として構成される場合に限らず、複数の独立した回路を組み合わせて１つのプロセッサとして構成し、その機能を実現するようにしてもよい。さらに、図２における処理回路１５をシステム制御回路２７に統合してその機能を実現するようにしてもよい（図１２参照）。図８に示した処理回路１５についても同様に、システム制御回路２７に統合してその機能を実現することができる。
【００７７】
また、上記各実施形態において、プロセッサは、特定用途向け集積回路（ＡＳＩＣ：Application Specific Integrated Circuit）やプログラマブル論理デバイス（単純プログラマブル論理デバイス（ＳＰＬＤ：Simple Programmable Logic Device）、複合プログラマブル論理デバイス（ＣＰＬＤ：Complex Programmable Logic Device）、フィールドプログラマブルゲートアレイ（ＦＰＧＡ：Field Programmable Gate Array）等）により実現されてもよい。
【００７８】
以上、本発明のいくつかの実施形態を説明したが、これらの実施形態は、例として提示したものであり、発明の範囲を限定することは意図していない。これらの新規な実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれるとともに、特許請求の範囲に記載された発明とその均等の範囲に含まれるものである。
【符号の説明】
【００７９】
１…Ｘ線撮影システム、２…装置本体、３…Ｘ線管、５…Ｘ線絞り器、７…高電圧発生器、９…可搬型Ｘ線検出器、１１…読取装置、１３…記憶回路、１５…処理回路、１８…通信インターフェイス回路、１９…アクセスポイント（Access Point）、２１…画像処理回路、２３…ディスプレイ、２５…入力インターフェイス回路、２７…システム制御回路、９１…識別部、９３…通信回路、１００…Ｘ線管装置、１５１、２７１…接続方式決定部、１５２，２７２…接続処理部、１５３…更新処理部、２００…寝台、２０１…天板、２０３…ブッキー装置、２０５…Ｘ線グリッド、２０７…Ｘ線自動露出制御装置（ＡＥＣ）、２１１…前処理部、２１２…画像発生部、３００…立位撮影台、３０１…支柱、３０３…ブッキー装置、３０５…Ｘ線グリッド、３０７…Ｘ線自動露出制御装置（ＡＥＣ）。
【図１】
0006704708.tif 000002
【図２】
0006704708.tif 000003
【図３】
0006704708.tif 000004
【図４】
0006704708.tif 000005
【図５】
0006704708.tif 000006
【図６】
0006704708.tif 000007
【図７】
0006704708.tif 000008
【図８】
0006704708.tif 000009
【図９】
0006704708.tif 000010
【図１０】
0006704708.tif 000011
【図１１】
0006704708.tif 000012